(57)【特許請求の範囲】
【請求項１】
冗長回路と、第１の映像信号出力回路と、を有し、
前記冗長回路は、第１の入力信号が入力されるとともに、前記第１の入力信号に応じた第１の映像信号を生成する冗長入力切替部を有し、
前記第１の映像信号出力回路は、
前記第１の入力信号及び第２の入力信号が入力されるとともに、前記第１の映像信号と、前記第２の入力信号に応じた第２の映像信号と、のいずれかを生成する第１の入力信号切替部と、
前記冗長入力切替部から前記第１の映像信号と、前記第１の入力信号切替部から前記第１の映像信号又は前記第２の映像信号と、が入力されるとともに、前記第１の入力信号切替部が故障した場合には前記冗長入力切替部が生成した前記第１の映像信号を出力する第１の映像信号切替部と、
を有し、
前記第１の映像信号切替部は、前記第１の入力信号切替部が生成する映像信号に、少なくともクロック信号、データイネーブル信号、同期信号のいずれかの信号が含まれていない場合に前記第１の入力信号切替部が故障していると判断する、
映像信号出力装置。
【請求項２】
第２の映像信号出力回路をさらに有し、
前記第２の映像信号出力回路は、
前記第２の入力信号及び第３の入力信号が入力され、前記第２の映像信号と、前記第３の入力信号に応じた第３の映像信号と、のいずれかを生成する第２の入力信号切替部と、
前記第１の入力信号切替部から前記第１の映像信号又は前記第２の映像信号と、前記第２の入力信号切替部から前記第２の映像信号又は前記第３の映像信号と、が入力されるとともに、前記第２の入力信号切替部が故障した場合には前記第１の入力信号切替部が生成した前記第２の映像信号を出力する第２の映像信号切替部と、
を有し、
前記第２の映像信号切替部は、前記第２の入力信号切替部が生成する映像信号に、少なくともクロック信号、データイネーブル信号、同期信号のいずれかの信号が含まれていない場合に前記第２の入力信号切替部が故障していると判断する、
請求項１に記載の映像信号出力装置。
【請求項３】
前記第１の入力信号切替部が前記第２の映像信号を生成する場合には、
前記第２の映像信号切替部は、前記第１の入力信号切替部が生成した前記第２の映像信号を出力し、
前記第１の映像信号切替部は、前記冗長入力切替部が生成した前記第１の映像信号を出力する、
請求項２に記載の映像信号出力装置。
【請求項４】
前記第２の入力信号切替部が前記第３の映像信号を生成する場合には、
前記第２の映像信号切替部は、前記第１の入力信号切替部を制御して前記第２の映像信号を生成させる、
請求項２又は３に記載の映像信号出力装置。
【請求項５】
前記第１の映像信号切替部は、前記第１の入力信号切替部が生成する映像信号が全黒の映像の映像信号である場合に入力信号切替部が故障していると判断する、
請求項１から請求項４のいずれか一項に記載の映像信号出力装置。
【請求項６】
前記第２の映像信号切替部は、前記第２の入力信号切替部が生成する映像信号が全黒の映像の映像信号である場合に入力信号切替部が故障していると判断する、
請求項２又は請求項３に記載の映像信号出力装置。
【請求項７】
請求項１から請求項６のいずれか一項に記載の映像信号出力装置と、
前記映像信号出力装置から映像信号を入力するとともに、前記映像信号に応じた映像を表示する表示部と、
を有する表示システム。
【請求項８】
冗長回路と、第１の映像信号出力回路と、を有する映像信号出力装置において、
前記冗長回路に、第１の入力信号を入力させるとともに、前記第１の入力信号に応じた第１の映像信号を生成させる冗長入力切替工程と、
前記第１の映像信号出力回路に、前記第１の入力信号及び第２の入力信号を入力させるとともに、前記第１の映像信号と、前記第２の入力信号に応じた第２の映像信号と、のいずれかを生成させる第１の入力切替工程と、
前記冗長入力切替工程により生成させた前記第１の映像信号と、前記第１の入力切替工程により生成させた前記第１の映像信号又は前記第２の映像信号と、を入力させるとともに、前記第１の入力切替工程において故障が発生した場合には前記冗長入力切替工程により生成された前記第１の映像信号を出力させる第１の映像切替工程と、
を有し、
第１の映像切替工程では、前記第１の入力切替工程により生成された映像信号に、少なくともクロック信号、データイネーブル信号、同期信号のいずれかの信号が含まれていない場合に前記第１の入力切替工程において故障が発生していると判断する、
映像信号出力方法。
【発明の詳細な説明】
【技術分野】
【０００１】
本発明は、映像信号出力装置、表示システム及び映像信号出力方法に関する。
【背景技術】
【０００２】
映像信号を出力する際に、映像信号を生成する回路が故障等で動作しなくなった場合、予備に設けた冗長回路を用いて映像を継続して表示する技術が開示されている（例えば、特許文献１参照）。特許文献１に記載の表示装置によれば、回路の故障を検出し、故障が検出された回路の入出力信号を制御し、故障が検出された回路に入力していた信号を冗長回路へ入力させ、故障が検出された回路から出力していた信号を冗長回路からの出力に切替えることで、故障が検出された回路の機能を修復する。
【先行技術文献】
【特許文献】
【０００３】
【特許文献１】特開２０１０−８１２５５号公報
【発明の概要】
【発明が解決しようとする課題】
【０００４】
しかしながら、特許文献１の表示装置は、装置内の回路が故障したか否かを検出することができるが、装置全体の中のどの回路が故障しているか把握する必要があるため制御が複雑となる。また、装置全体の中のどの回路が故障した場合にも、その故障が検出された回路に入力していた信号を冗長回路へ入力させ、故障が検出された回路から出力していた信号を冗長回路からの出力に切替えることができるようにする必要があるため、配線が複雑となってしまう。【０００５】
本発明は、このような事情に鑑みてなされたもので、その目的は、簡単な方法で、回路が故障する前に出力していた映像信号を継続して出力することができる映像信号出力装置を提供することにある。
【課題を解決するための手段】
【０００６】
上述した課題を解決するために、本発明の映像信号出力装置は、冗長回路と、第１の映像信号出力回路と、を有し、前記冗長回路は、第１の入力信号が入力されるとともに、前記第１の入力信号に応じた第１の映像信号を生成する冗長入力切替部を有し、前記第１の映像信号出力回路は、前記第１の入力信号及び第２の入力信号が入力されるとともに、前記第１の映像信号と、前記第２の入力信号に応じた第２の映像信号と、のいずれかを生成する第１の入力信号切替部と、前記冗長入力切替部から前記第１の映像信号と、前記第１の入力信号切替部から前記第１の映像信号又は前記第２の映像信号と、が入力されるとともに、前記第１の入力信号切替部が故障した場合には前記冗長入力切替部が生成した前記第１の映像信号を出力する第１の映像信号切替部と、を有し、前記第１の映像信号切替部は、前記第１の入力信号切替部が生成する映像信号に、少なくともクロック信号、データイネーブル信号、同期信号のいずれかの信号が含まれていない場合に前記第１の入力信号切替部が故障していると判断する。
【０００７】
また、本発明の映像信号出力方法は、冗長回路と、第１の映像信号出力回路と、を有する映像信号出力装置において、前記冗長回路に、第１の入力信号を入力させるとともに、前記第１の入力信号に応じた第１の映像信号を生成させる冗長入力切替工程と、前記第１の映像信号出力回路に、前記第１の入力信号及び第２の入力信号を入力させるとともに、前記第１の映像信号と、前記第２の入力信号に応じた第２の映像信号と、のいずれかを生成させる第１の入力信号切替工程と、前記冗長入力切替工程により生成させた前記第１の映像信号と、前記第１の入力信号切替工程により生成された前記第１の映像信号又は前記第２の映像信号と、を入力させるとともに、前記第１の入力切替工程において故障が発生した場合には前記冗長入力切替工程により生成された前記第１の映像信号を出力させる第１の映像切替工程と、を有し、第１の映像切替工程では、前記第１の入力切替工程により生成された映像信号に、少なくともクロック信号、データイネーブル信号、同期信号のいずれかの信号が含まれていない場合に前記第１の入力切替工程において故障が発生していると判断する。
【発明の効果】
【０００８】
この発明によれば、簡単な方法で、回路が故障する前に出力していた映像信号を継続して出力することができる。
【図面の簡単な説明】
【０００９】
【図１】第１実施形態における映像信号出力装置の構成を示す機能ブロック図である。
【図２】映像処理部が故障しているか否かを判別する処理の流れを示すフローチャートである。
【図３】映像処理部が故障しているか否かを判別する処理の流れを示すフローチャートである。
【図４】映像処理部が故障していると判別された場合の処理の流れを示すフローチャートである。
【図５】第３実施形態の映像信号出力装置を説明するための図である。
【図６】第４実施形態の映像信号出力装置を説明するための図である。
【図７】第５実施形態の映像信号出力装置を説明するための図である。
【図８】第６実施形態の映像信号出力装置を説明するための図である。
【図９】第７実施形態の映像信号出力装置を説明するための図である。
【発明を実施するための形態】
【００１０】
以下、本発明の一実施形態における映像信号出力装置について図面を参照して説明する。
まず、第１実施形態について説明する。
図１は、第１実施形態における映像信号出力装置の構成例を示す機能ブロック図である。図１の例では、冗長回路９と映像信号出力回路１０＿１と映像信号出力回路１０＿２を有する。
冗長回路９は、冗長入力切替部９４を有する。冗長入力切替部９４は、第１の入力信号が入力される。冗長入力切替部９４は、第１の入力信号に応じた第１の映像信号を出力する。
映像信号出力回路１０＿１は、入力信号切替部１４＿１と映像信号切替部１８＿１とを有する。入力信号切替部１４＿１は、第１の入力信号及び第２の入力信号が入力される。入力信号切替部１４＿１は、第１の入力信号に応じた第１の映像信号と、第２の入力信号に応じた第２の映像信号とのいずれかを出力する。映像信号切替部１８＿１は、冗長入力切替部９４から供給される第１の映像信号と、入力信号切替部１４＿１から供給される第１の映像信号又は第２の映像信号とが入力される。映像信号切替部１８＿１は、冗長入力切替部９４が出力した第１の映像信号、又は入力信号切替部１４＿１が出力した第１の映像信号を出力する。映像信号切替部１８＿１は、入力信号切替部１４＿１から第２の映像信号が供給される場合、入力信号切替部１４＿１が出力した第２の映像信号を出力しない。
映像信号出力回路１０＿２は、映像信号出力回路１０＿１と同等の構成であり、入力信号切替部１４＿２と映像信号切替部１８＿２とを有する。入力信号切替部１４＿２は、第２の入力信号及び第３の入力信号が入力される。入力信号切替部１４＿２は、第２の入力信号に応じた第２の映像信号と、第３の入力信号に応じた第３の映像信号とのいずれかを出力する。映像信号切替部１８＿２は、前段の入力信号切替部１４＿１から第１の映像信号又は第２の映像信号と、入力信号切替部１４＿２から第２の映像信号又は第３の映像信号と、が入力される。映像信号切替部１８＿２は、入力信号切替部１４＿１又は入力信号切替部１４＿２が出力した信号した第２の映像信号を出力する。映像信号切替部１８＿２は、入力信号切替部１４＿１から第１の映像信号が供給される場合、入力信号切替部１４＿１が出力した第１の映像信号を出力しない。映像信号切替部１８＿２は、入力信号切替部１４＿２から第３の映像信号が供給される場合、入力信号切替部１４＿２が出力した第３の映像信号を出力しない。
【００１１】
図１に示すように、冗長入力切替部９４は、映像処理部１２＿０を有する。映像処理部１２＿０は、入力信号に応じた映像信号を生成する。また、映像処理部１２＿０は、映像信号を生成するために、調整データを用いる。調整データとは、例えば、映像信号を表示する表示装置の表示画素数、フレームレート等の表示装置への表示をするための情報、および表示装置の輝度、解像度等の情報等のユーザが表示装置を調整するための情報のことである。調整データは、図示しない記憶領域に記憶される。
【００１２】
入力信号切替部１４＿１は、入力信号切替スイッチ１１＿１と、映像処理部１２＿１とを有する。入力信号切替スイッチ１１＿１は、映像信号出力回路１０＿２からの制御信号に基づいて、第１の入力信号と第２の入力信号のうちいずれか一方を、映像処理部１２＿１へ出力する。映像処理部１２＿１は、映像処理部１２＿０と、同等の構成である。映像処理部１２＿１は、第１の映像信号又は第２の映像信号の各々を生成するために、第１の入力信号の調整データと第２の入力信号の調整データをそれぞれ用いる。第１の入力信号の調整データは、図示しない第１の映像情報格納領域に記憶され、第２の入力信号の調整データは、図示しない第２の映像情報格納領域に記憶されているものとする。
【００１３】
映像信号切替部１８＿１は、映像信号切替スイッチ１５＿１と映像データ判別部１６＿１とを有する。映像信号切替スイッチ１５＿１は、冗長入力切替部９４から第１の映像信号と、入力信号切替部１４＿１から第１の映像信号又は第２の映像信号と、を入力する。また、映像信号切替スイッチ１５＿１は、映像データ判別部１６＿１からの制御に基づいて、冗長入力切替部９４出力した第１の映像信号、又は入力信号切替部１４＿１が出力した映像信号（第１の映像信号又は第２の映像信号）を、映像データ判別部１６＿１へ出力する。
映像データ判別部１６＿１は、冗長入力切替部９４又は入力信号切替部１４＿１が出力した第１の映像信号を、映像信号出力回路１０＿１の外部へ出力する。映像データ判別部１６＿１は、冗長入力切替部９４からの第１の映像信号、及び入力信号切替部１４＿１から供給される第１の映像信号に基づいて、映像処理部１２＿１が故障しているか否かを判別する。映像データ判別部１６＿１は、映像処理部１２＿１が故障している場合、映像データ判別部１６＿１は、入力信号切替部１４＿１が生成した第１の映像信号に代えて、冗長入力切替部９４が生成した第１の映像信号を出力する。また、映像データ判別部１６＿１は、入力信号切替部１４＿１から供給される映像信号が、第１の映像信号か第２の映像信号かを判別する。映像データ判別部１６＿１は、入力信号切替部１４＿１から供給される映像信号が、第２の映像信号である場合、冗長入力切替部９４が生成した第１の映像信号を出力する。
【００１４】
映像データ判別部１６＿２は、映像データ判別部１６＿１と同様に、入力信号切替部１４＿２からの第２の映像信号に基づいて、映像処理部１２＿２が故障しているか否かを判別する。映像処理部１２＿２が故障している場合、映像データ判別部１６＿２は、入力信号切替部１４＿２が生成した第２の映像信号に代えて、入力信号切替部１４＿２が生成した第２の映像信号を出力する。また、映像データ判別部１６＿２は、入力信号切替部１４＿２から供給される映像信号が、第２の映像信号か第３の映像信号かを判別する。映像データ判別部１６＿２は、入力信号切替部１４＿２から供給される映像信号が、第３の映像信号である場合、前段の入力信号切替部１４＿１を制御し、入力信号切替部１４＿１に第２の映像信号を出力させ、入力信号切替部１４＿１が出力した第２の映像信号を出力する。
【００１５】
このように、映像信号出力回路１０＿２は、映像処理部１２＿２の故障等により入力信号切替部１４＿２から第２の映像信号が正常に出力されない場合であっても、前段の入力信号切替部１４＿１に第２の映像信号を生成させ、入力信号切替部１４＿１が生成した第２の映像信号を出力することにより、故障前に出力していた第２の映像信号を継続して出力することができる。
また、映像信号出力回路１０＿１は、映像処理部１２＿１の故障又は映像処理部１２＿１が第２の映像信号を生成していることにより、入力信号切替部１４＿１から第１の映像信号が正常に出力されない場合あっても、前段の冗長入力切替部９４からの第１の映像信号を出力することにより、故障前に出力していた第１の映像信号を継続して出力することができる。
【００１６】
ここでは、図２〜３のフローチャートを用いて、映像データ判別部１６＿１が行う映像処理部１２＿１が故障しているか否かを判別する処理について説明する。図２及び図３は、映像処理部１２＿１が故障しているか否かを判別する処理の流れを示すフローチャートである。図２のフローチャートで示す処理において、映像データ判別部１６＿１は、入力信号切替部１４＿１からの第１の映像信号のデータ構成から、映像処理部１２＿１が故障しているか否かを判別する。図３のフローチャートで示す処理において、映像データ判別部１６＿１は、冗長入力切替部９４からの第１の映像信号と、入力信号切替部１４＿１からの第１の映像信号を比較することで、映像処理部１２＿１が故障しているか否かを判別する。
また、映像データ判別部１６＿２においても、映像データ判別部１６＿１と同様に、映像処理部１２＿２が故障しているか否かを判別する処理を行う。映像データ判別部１６＿２が行う処理については、映像データ判別部１６＿１が行う処理と同様の処理については説明を省略し、映像データ判別部１６＿１が行わない処理についてのみ説明する。
【００１７】
映像データ判別部１６＿１は、予め定めた周期的な間隔（例えば、１秒間隔など）で、図２に示す処理を行い、映像処理部１２＿１が故障しているか否かを判別する。また、映像データ判別部１６＿１は、図２のフローチャートに示す周期的な故障検出処理において、映像処理部１２＿１が故障していると判別しない場合には、図３に示す処理を行い、映像処理部１２＿１が故障しているか否かを判別する。
【００１８】
図２に示すように、映像データ判別部１６＿１は、故障検出タイミングになったら（ステップＳ１０  ＹＥＳ）、第１の入力信号の有無を判定した判定結果を読み出す（ステップＳ１１）。ここで、入力信号の有無は、例えば、入力信号の水平同期周波数、垂直同期周波数、リフレッシュレート等の情報を検出し、検出した情報が予め定めた判定条件、例えば、入力信号の水平同期周波数、および垂直同期周波数がどちらも０ではない等、に合致するか否か、で判定する。ここでは、映像データ判別部１６＿１が、予め定めた任意のタイミングで、入力信号の有無を判定し、図示しない記憶領域に記憶させるものとする。こうすることで映像データ判別部１６＿１は、故障検出タイミングに、図示しない記憶領域に記憶させた入力信号の有無を判定した判定結果を読み出す。
【００１９】
映像データ判別部１６＿１は、入力判定結果を読み出すことができた場合（ステップＳ１２  ＹＥＳ）、第１の入力信号の有無を確認する（ステップＳ１３）。
一方、映像データ判別部１６＿１は、入力判定結果を読み出すことができない場合（ステップＳ１２  ＮＯ）、映像処理部１２＿１は故障していると判別する（ステップＳ１５）。
【００２０】
映像データ判別部１６＿１は、読み出した入力判定結果において、第１の入力信号が有りの場合（ステップＳ１３  ＹＥＳ）、映像処理部１２＿１から第１の映像信号とともに出力されるクロック（ＣＬＫ）信号、および映像信号のうち実際に映像データとして表示する部分を示すデータイネーブル（ＤＥ）信号と、同期信号とがあるか否かを判別する（ステップＳ１４）。
【００２１】
映像データ判別部１６＿１は、ＣＬＫ信号と、ＤＥ信号と、同期信号とがある場合（ステップＳ１４  ＮＯ）、ステップＳ１０に戻る。
映像データ判別部１６＿１は、ＣＬＫ信号、ＤＥ信号と、同期信号の少なくとも１の信号がない場合（ステップＳ１３  ＮＯ）、映像処理部１２＿１は故障していると判別する（ステップＳ１５）。そして、図２のフローチャートに示す処理は終了する。
【００２２】
図２のフローチャートに示す処理において、映像処理部１２＿１が故障していると判別されない場合、映像データ判別部１６＿１は、さらに、図３に示す処理を行い、映像処理部１２＿１が故障しているか否かを判別する。ここで、映像データ判別部１６＿１は、予め定めた所定の変化が生じたとき（例えば、電源起動時、映像信号に変化が生じた時、映像信号が途切れた時など）に、図３に示す処理を行うことで、さらに精度よく、映像処理部１２＿１が故障しているか否かを判別することができる。
【００２３】
まず、映像データ判別部１６＿１は、図２のフローチャートに示す処理において、映像処理部１２＿１が故障していると判別されない場合、または電源起動時、映像信号に変化が生じた時、映像信号が途切れた時などの予め定めた所定の変化が生じた場合等の、故障検出を行う故障検出タイミングにおいて（ステップＳ２０）、映像信号切替スイッチ１５＿１の入力ａ＿１から入力される入力信号切替部１４＿１からの第１の映像信号が全黒（すべて０（ゼロ））か否かを判別する（ステップＳ２１）。
映像データ判別部１６＿１は、入力ａ＿１から入力される映像信号が全黒である場合（ステップＳ２１  ＹＥＳ）、映像信号切替スイッチ１５＿１の入力ｂ＿１から入力される前段の冗長入力切替部９４からの第１の映像信号が全黒か否か、を判別する（ステップＳ２３）。
この場合、映像データ判別部１６＿２は、入力ａ＿２から入力される映像信号が全黒である場合（ステップＳ２１  ＹＥＳ）、前段の入力信号切替部１４＿１を制御し、映像処理部１２＿１へ第２の映像信号を入力させ（ステップＳ２２）、映像信号切替スイッチ１５＿２の入力ｂ＿２から入力される前段の入力信号切替部１４＿１からの第２の映像信号が全黒か否か、を判別する（ステップＳ２３）。
映像データ判別部１６＿１は、入力ｂ＿１からの映像信号が全黒である場合（ステップＳ２３  ＹＥＳ）、映像処理部１２＿１が故障していないと判別し、ステップＳ２０に戻る。
ここで、映像データ判別部１６＿２は、入力ｂ＿２からの映像信号が全黒である場合（ステップＳ２３  ＹＥＳ）、映像処理部１２＿２が故障していないと判別し、前段の入力信号切替部１４＿１を制御し、映像処理部１２＿１へ第１の映像信号を入力させ（ステップＳ２４）、ステップＳ２０に戻る。
映像データ判別部１６＿１は、入力ｂ＿１からの映像信号が全黒ではない場合（ステップＳ２３  ＮＯ）、映像処理部１２＿１が故障していると判別する（ステップＳ２５）。そして、図３のフローチャートに示す処理は終了する。
【００２４】
一方、映像データ判別部１６＿１は、入力ａ＿１の映像信号が全黒ではない場合（ステップＳ２１  ＮＯ）、入力ａ＿１および入力ｂ＿１からの第１の映像信号を比較し、一致するか否かを判別する（ステップＳ３１）。
ここで、映像データ判別部１６＿２は、入力ａ＿２の映像信号が全黒ではない場合（ステップＳ２１  ＮＯ）、前段の入力信号切替部１４＿１を制御し、映像処理部１２＿１に第２の映像信号を生成させ（ステップＳ３０）、入力ａ＿および入力ｂ＿１からの第２の映像信号を比較し、一致するか否かを判別する（ステップＳ３１）。  映像データ判別部１６＿１は、入力ａ＿１および入力ｂ＿１からの第１の映像信号が一致する場合（ステップＳ３１  ＹＥＳ）、映像処理部１２＿１が故障していないと判別し、ステップＳ２０に戻る。
ここで、映像データ判別部１６＿２は、入力ａ＿２および入力ｂ＿２からの第２の映像信号が一致する場合、映像処理部１２＿２が故障していないと判別し、前段の入力信号切替部１４＿１を制御し、映像処理部１２＿１に第１の映像信号を生成させ、ステップＳ２０に戻る。  
【００２５】
映像データ判別部１６＿１は、入力ａ＿１からの第１の映像信号と、入力ｂ＿１からの第１の映像信号と、が一致しない場合、映像処理部１２＿１が故障していると判別し（ステップＳ２５）、図３のフローチャートに示す処理は終了する。
【００２６】
さらに、映像データ判別部１６＿１が映像処理部１２＿１が故障していると判別した場合に行う処理について説明する。図４は、映像処理部１２が故障していると判別された場合の処理の流れを示すフローチャートである。  また、映像データ判別部１６＿２においても、映像データ判別部１６＿１と同様に、映像処理部１２＿２が故障していると判別した場合の処理を行う。映像データ判別部１６＿２が行う処理については、映像データ判別部１６＿１が行う処理と同様の処理については説明を省略し、映像データ判別部１６＿１が行わない処理についてのみ説明する。
【００２７】
図４に示すように、映像データ判別部１６＿１は、映像処理部１２＿１が故障していると判別した場合（ステップＳ４０  ＹＥＳ）、前段の冗長入力切替部９４からの第１の映像信号を出力する（ステップＳ４４）。
ここで、映像データ判別部１６＿２は、映像処理部１２＿２が故障していると判別した場合（ステップＳ４０  ＹＥＳ）、前段の入力信号切替部１４＿１を制御し、映像処理部１２＿１に第２の入力信号を入力させる（ステップＳ４２）とともに、入力信号切替部１４＿１が映像処理に用いる調整データを第１の入力信号の調整データから第２の入力信号の調整データに切替える（ステップＳ４３）。
【００２８】
映像データ判別部１６＿１は、前段の冗長入力切替部９４が生成した第１の映像信号を、表示デバイス部２へ出力する。
そして、図４のフローチャートに示す処理は終了する。
一方、映像データ判別部１６＿１は、映像処理部１２＿１が故障していないと判別した場合（ステップＳ４０  ＮＯ）、映像処理部１２＿１に入力される入力信号が第１の入力信号か第２の入力信号かを判別する（ステップＳ４１）。映像データ判別部１６は、映像処理部１２＿１に入力される入力信号が第１の入力信号であると判別する場合（ステップＳ４１  ＮＯ）、ステップＳ４０の処理を行う。映像データ判別部１６は、映像処理部１２＿１に入力される入力信号が第２の入力信号であると判別する場合（ステップＳ４１  ＮＯ）、ステップＳ４２の処理を行う。
このように、本実施形態の映像信号出力装置１は、映像信号出力回路１０＿１において、映像処理部１２＿１が故障したと判別される場合であっても、入力信号切替部１４＿１からの第１の映像信号に代えて、前段の冗長回路９からの第１の映像信号を出力する。このため、映像信号出力回路１０＿１は、映像処理部１２＿１が故障したと判別される場合であっても、継続して第１の映像信号出力することができる。
また、映像信号出力回路１０＿１は、映像処理部１２＿１に第１の入力信号が入力され、映像処理部１２＿１が今まで生成していた第１の映像信号生成できない場合であっても、前段の冗長回路９からの第１の映像信号を出力することにより、継続して第１の映像信号出力することができる。
【００２９】
本実施形態において、映像信号出力装置１は、映像信号出力回路１０＿２の後段に、さらに複数の映像信号出力回路１０＿３〜ｎが接続されていてもよい。複数の映像信号出力回路１０＿１〜ｎのいずれかの映像信号出力回路１０＿Ｋの映像処理部１２＿ｋが故障した場合、映像信号切替部１８＿ｋは、前段の入力信号切替部１４＿ｋ−１に第ｋの映像信号を生成させ、入力信号切替部１４＿ｋ−１が生成した第ｋの映像信号を出力する。また、この場合、映像信号切替部１８＿ｋ−１は、さらに前段の入力信号切替部１４＿ｋ−２に第ｋ−１の映像信号を生成させ、入力信号切替部１４＿ｋ−２が生成した第ｋ−１の映像信号を出力する。
このように、複数の映像信号出力回路１０＿１〜ｎのいずれかの映像信号出力回路１０＿ｋの映像処理部１２＿Ｋが故障した場合であっても、映像信号出力回路１０＿ｋおよびその前段に接続される映像信号出力回路１０＿１〜ｋ−１の各々が、各々の前段の冗長回路９又は入力信号切替部１４＿１〜ｋ−１に自身が出力していた映像信号を生成させ、その生成させた映像信号を出力することで、自身が出力していた映像信号を継続して出力することができる。  
【００３０】
また、映像処理部１２＿０〜１２＿２は、ケーブルテレビ放送、衛星放送、地上波テレビ放送（デジタル放送、アナログ放送）、ＩＰ放送などの入力信号に応じた映像信号を生成することにより、チューナー、またはセットトップボックスとして機能することができる。
入力信号は、例えば、コンポジットビデオ信号、Ｓ−ビデオ信号、コンポーネント信号、ＲＧＢＨＶ（ＲＧＢ（色信号）、水平同期信号、および垂直同期信号）、ＤＶＩ（Ｄｉｇｉｔａｌ  Ｖｉｓｕａｌ  Ｉｎｔｅｒｆａｃｅ）、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ（登録商標））、ＤｉｓｐｌａｙＰｏｒｔ等に応じた信号となる。
また、上述した入力信号に基づいて、映像処理部１２＿０〜１２＿２が生成する映像信号は、例えばＬＶＤＳ（Ｌｏｗ  Ｖｏｌｔａｇｅ  Ｄｉｆｆｅｒｅｎｔｉａｌ  Ｓｉｇｎａｌｉｎｇ）、Ｖ  ｂｙ  Ｏｎｅ（商標登録）、ＨＤ  ｂａｓｅ‐Ｔ（商標登録）等のデータ伝送規格に応じた信号となる。
【００３１】
次に、第２実施形態について説明する。
第２実施形態は、図１に示す第１実施形態における、冗長回路９が映像信号出力回路１０と同等の回路に代えた構成である。
なお、以下の説明においては、複数の映像信号出力回路１０＿１〜ｎを総称する場合は、映像信号出力回路１０とする。また、複数の映像信号出力回路１０＿１〜ｎの各々を構成する各構成要素や、複数の映像信号出力回路１０＿１〜ｎの各々と接続される回路等、例えば映像処理部１２＿１〜ｎ等においても、総称する場合は、映像処理部１２等とする。
冗長回路９を映像信号出力回路１０と同じ構成とすることで、映像信号出力装置１は、冗長回路９を、映像信号出力装置１にある複数の映像信号出力回路１０に対する冗長回路として用いることもできるし、映像信号出力回路としても用いることもできる。また、冗長回路９と映像信号出力回路１０とを同じ構成とすることで、映像信号出力装置１は、映像信号出力装置１が備える複数の映像信号出力回路１０のうち、冗長回路９として用いる回路の数と映像信号出力回路１０として用いる回路の数を、例えば、信頼性と装置コストに応じて、柔軟に変更させることができる。
例えば、映像信号出力装置１が９の映像信号出力回路１０で構成される場合、「映像信号出力回路１０の数」に対する「冗長回路９の数」の比Ｘを、比Ｘ＝８：１として用いれば、冗長性を有し、かつ、最も多くの種類の映像の映像信号を出力させることができる。また、比Ｘ＝６：３とすれば、２台の映像信号出力回路１０に対し、１の冗長回路９を備える構成となり、冗長性を高めることができる。さらに、比Ｘ＝５：４とすれば、さらに冗長性を高めることができ、５台の映像信号出力回路１０のうちの４台の回路が故障しても、継続して映像信号を出力することができる。
【００３２】
さらに、第３実施形態について図５を用いて説明する。
図５は、第３実施形態を説明するための図である。図５に示す通り、第３実施形態は、ｎ個のモニタ１００＿１〜１００＿ｎ（以下、総称する場合は、モニタ１００とする）が、直列に多段接続されて構成される。
モニタ１００は、第１実施形態における映像信号出力回路１０に、分配器３と、表示デバイス２２とが接続されて一体化され、例えば完成品モニタとして用いられる。また、最前段のモニタ１００＿１の映像信号出力回路１０＿１と、冗長回路９とが、モニタ１００＿１と接続されるモニタ１００＿２とは異なる側に接続され、例えば冗長回路付き完成品モニタとして用いられる。
分配器３は、１の入力信号を、複数に分けて分配する。図６では、分配器３＿１は、第１の入力信号を、映像信号出力回路１０＿１と冗長回路９に分配する。分配器３＿２は、第２の入力信号を、映像信号出力回路１０＿２と映像信号出力回路１０＿１に分配する。このように、分配器３＿ｋは、映像ｋの入力信号を、映像ｋの映像信号を出力する映像信号出力回路１０＿ｋと、映像信号出力回路１０＿ｋの映像処理部１２＿ｋが故障した場合や映像処理部１２＿ｋが後段の回路が出力する映像ｋ＋１の映像信号を生成している場合に備えて、前段の映像信号出力回路１０＿ｋ−１とに分配する。
表示デバイス２２は、映像信号に基づく映像を表示するための画面を備え、例えば液晶ディスプレイまたは有機ＥＬ（Ｅｌｅｃｔｒｏ  Ｌｕｍｉｎｅｓｃｅｎｃｅ）を含む。
第３実施形態においては、ユーザが必要とする冗長性に応じて、完成品モニタの数と冗長回路付き完成品モニタの数とを、自由に組み合わせることができる。
【００３３】
次に、第４実施形態について説明する。
図６は、第４実施形態を説明するための図である。図６に示す通り、第４実施形態は、第１実施形態における、映像信号出力回路１０＿１にｎ個の表示デバイス部２＿１〜２＿ｎが接続される。映像信号出力回路１０は、表示デバイス部２へ映像信号を出力する。
表示デバイス部２は、信号変換部２１と、表示デバイス２２とを含む。信号変換部２１は、表示デバイス２２に応じた信号の変換、例えば映像信号が指し示す色を表示デバイス２２に再現させるための変換などを行う。表示デバイス２２は、映像を表示するための画面を含む。
【００３４】
また、映像信号出力回路１０＿１に冗長回路９、および分配器３＿１が接続される。
冗長回路９に、分配器３＿１を介して、第１の入力信号が入力される。こうすることで、映像信号出力回路１０＿１の映像処理部１２＿１が故障した場合、冗長回路９の映像処理部１２＿０に、第１の映像信号を生成させる。
第４実施形態においては、映像信号出力回路１０＿１は、第１の入力信号から映像信号を生成し、第１の映像信号をｎ個の表示デバイス部２＿１〜２＿ｎへ、出力する。ｎ個の表示デバイス部２＿１〜２＿ｎは、同一の第１の映像信号を表示する。
第４実施形態においては、複数の表示デバイス部２に対し、１の映像信号出力回路１０と、１の冗長回路９とを用いる構成なので、冗長性を有し、かつ、装置全体のコストを抑えることができる。
【００３５】
次に、第５実施形態について説明する。
図７は、第５実施形態を説明するための図である。図７に示す通り、第５実施形態は、第１実施形態における、分配器３＿１と、映像信号出力回路１０＿１と、表示デバイス２２＿１とが接続され、一体化されたものである。また、映像信号出力回路１０＿１に冗長回路９が接続され、例えば冗長回路付き完成品モニタとして用いられる。
第５実施形態においては、１の表示デバイス部２に対し、１の冗長回路付き完成品モニタを用いているため、冗長性を有する。
【００３６】
次に、第６実施形態について説明する。
図８は、第６実施形態を説明するための図である。図８に示す通り、第６実施形態は、第１実施形態における、映像信号出力回路１０＿１に、表示デバイス部２＿１が接続される。また、映像信号出力回路１０＿１に冗長回路９および分配器３＿１が接続される。
第６実施形態においては、１の表示デバイス部２に対し、１の映像信号出力回路１０と、１の冗長回路９とを用いているため、冗長性を有する。また、表示デバイス部２＿１と、映像信号出力回路１０＿１と、冗長回路９と、分配器３＿１とが別体となっているため、ユーザがこれらの装置を自由に組み合わせることができる。
【００３７】
次に、第７実施形態について説明する。
図９は、第７実施形態を説明するための図である。図９に示す通り、第７実施形態は、冗長回路９、映像信号出力回路１０＿１を有する。冗長回路９は、冗長入力切替部９４を有する。冗長入力切替部９４は、第１の入力信号が入力されるとともに、第１の入力信号に応じた第１の映像信号を生成する。映像信号出力回路１０＿１は、入力信号切替部１４＿１と映像信号切替部１８＿１とを有する。入力信号切替部１４＿１は、前記第１の入力信号及び第２の入力信号が入力されるとともに、第１の入力信号に応じた第１の映像信号と、第２の入力信号に応じた第２の映像信号と、のいずれかを生成する。映像信号切替部１８＿１は、冗長入力切替部９４からの第１の映像信号と、入力信号切替部１４＿１からの第１の映像信号又は第２の映像信号と、が入力されるとともに、冗長入力切替部９４又は入力信号切替部１４＿１が生成した第１の映像信号を出力する。
【符号の説明】
【００３８】
１    映像信号出力装置
１０    映像信号出力回路
１１    入力信号切替スイッチ
１２    映像処理部
１４    入力信号切替部
１５    映像信号切替スイッチ
１６    映像データ判別部
１８    映像信号切替部
２    表示デバイス部
２１    信号変換部
２２    表示デバイス
３    分配器
９    冗長回路
９４    冗長入力切替部
１００  モニタ
【図１】
0006804066.tif 000002
【図２】
0006804066.tif 000003
【図３】
0006804066.tif 000004
【図４】
0006804066.tif 000005
【図５】
0006804066.tif 000006
【図６】
0006804066.tif 000007
【図７】
0006804066.tif 000008
【図８】
0006804066.tif 000009
【図９】
0006804066.tif 000010